Podtech/llm-jp-corpus-v4-ja_patent huggingface dataset:
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
記録媒体に記録された画像データを読み込む読込手段と、
前記読み込まれた画像データを表示する表示手段と、
前記表示手段に一度に表示可能な画像数を１ページの画像数として取得する取得手段と、
前記画像数から前記記録媒体に記録された画像データに対して表示するページを割り当てるページ割り当て手段と、
ユーザの操作により前記表示手段に表示するページを指定することが可能なページ指定手段と、
前記ページ割り当て手段が割り当てたページから前記ページ指定手段による次に表示するページの指定に先だって前記読込手段が読み込むページの優先順位を表示中のページに応じて決定する優先順位決定手段とを備え、
前記読込手段は、前記ページ指定手段による次に表示するページの指定に先だって前記優先順位決定手段の結果に従い前記記録媒体から画像データの読み込みを開始することを特徴とする画像処理装置。
【請求項２】
前記優先順位決定手段は、ユーザによる前記ページ指定手段の操作により表示中のページが変更される毎に、前記記録媒体に記録された画像データから読み込みが終了していない画像データに対してページの優先順位を決定することを特徴とする請求項１に記載の画像処理装置。
【請求項３】
前記優先順位決定手段は、表示中のページからユーザが前記ページ指定手段を操作する回数が少ないページの優先順位を高く決定することを特徴とする請求項１または２に記載の画像処理装置。
【請求項４】
前記記録媒体に記録された画像データのサイズをページ毎に集計する集計手段を更に有し、
前記優先順位決定手段は、前記集計手段の結果に従って、画像データのサイズが大きいページの優先順位を高く決定することを特徴とする請求項１または２に記載の画像処理装置。
【請求項５】
表示されるページが異なる複数のページ指定手段を更に有し、
ユーザによる前記ページ指定手段のそれぞれにおける連続操作回数を計数する計数手段と、
前記連続操作回数が所定の回数を超えた場合に、前記複数のページ指定手段の中から次に操作されるページ指定手段は前回操作されたページ指定手段と同じであるとして優先順位を決定することを特徴とする請求項１または２に記載の画像処理装置。
【請求項６】
前記優先順位決定手段は、ユーザが前記ページ指定手段を操作する回数が少なく、かつ画像データのサイズが大きいページの優先順位を高く決定することを特徴とする請求項１または２に記載の画像処理装置。
【請求項７】
記録媒体に記録された画像データを読み込む読込工程と、
前記読み込まれた画像データを画面に表示する表示工程と、
前記表示工程において画面に一度に表示可能な画像数を１ページの画像数として取得する取得工程と、
前記画像数から前記記録媒体に記録された画像データに対して表示するページを割り当てるページ割り当て工程と、
ユーザの操作により前記表示手段に表示するページを指定することが可能なページ指定工程と、
前記ページ割り当て工程で割り当てたページから前記ページ指定工程によって次に表示するページの指定に先だって前記読込手段が読み込むページの優先順位を表示中のページに応じて決定する優先順位決定工程とを有し、
前記読込工程は、前記ページ指定工程による次に表示するページの指定に先だって前記優先順位決定工程の結果に従い、前記記録媒体から画像データの読み込みを開始することを特徴とする画像処理方法。
【請求項８】
請求項７に記載の画像処理方法をコンピュータに実行させる画像処理プログラムを記憶したコンピュータ読み取り可能な記憶媒体。
【手続補正２】
【補正対象書類名】明細書
【補正対象項目名】００１３
【補正方法】変更
【補正の内容】
【００１３】
記録媒体に記録された画像データを読み込む読込手段と、前記読み込まれた画像データを表示する表示手段と、前記表示手段に一度に表示可能な画像数を１ページの画像数として取得する取得手段と、前記画像数から前記記録媒体に記録された画像データに対して表示するページを割り当てるページ割り当て手段と、ユーザの操作により前記表示手段に表示するページを指定することが可能なページ指定手段と、前記ページ割り当て手段が割り当てたページから前記ページ指定手段による次に表示するページの指定に先だって前記読込手段が読み込むページの優先順位を表示中のページに応じて決定する優先順位決定手段とを備え、前記読込手段は前記ページ指定手段による次に表示するページの指定に先だって、前記優先順位決定手段の結果に従って、前記記録媒体から画像データの読み込みを開始する。
【手続補正３】
【補正対象書類名】明細書
【補正対象項目名】００１４
【補正方法】変更
【補正の内容】
【００１４】
さらに表示されるページが異なる複数のページ指定手段を更に有し、ユーザによる前記ページ指定手段のそれぞれにおける連続操作回数を計数する計数手段と、前記連続操作回数が所定の回数を超えた場合に、前記複数のページ指定手段の中から次に操作されるページ指定手段は前回操作されたページ指定手段と同じであるとして優先順位を決定する。
【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
記録媒体に記録された動画像の映像データを再生する再生手段と、
静止画像の記録を指示する操作手段と、
前記操作手段からの指示に応じて、前記再生手段によって再生された映像データから静止画像データを生成して記録する記録手段と、
前記操作手段からの指示が開始されてから解除されるまでの間、前記再生手段に対して前記動画像の１フレームずつのコマ送り再生を実行させ、前記記録手段に対して前記コマ送り再生によって得られる複数枚のフレーム画像に係る静止画像データを連続的に記録させるよう制御する制御手段とを備えたことを特徴とする画像記録再生装置。
【請求項２】
前記再生手段によって再生される映像データからプルダウン変換されて記録されたフレーム画像を検出するプルダウン検出手段と、
前記プルダウン検出手段により検出されたフレーム画像のうち、トップフィールドが重複フィールドとなるフレーム画像を前記再生手段によって再生される映像データから抽出して保持するフレームバッファ手段と、
再生された現在のフレーム画像と、前記フレームバッファ手段に記憶された直前のフレーム画像とを用いて前記プルダウン変換される前のフレーム画像を生成するフレーム画像生成手段とをさらに備え、
前記記録手段は、前記プルダウン変換された映像データから前記複数枚のフレーム画像に係る静止画像データを生成する場合、前記再生手段によって再生されたフレーム画像と、前記フレーム画像生成手段によって生成されたフレーム画像とから前記複数枚のフレーム画像に係る静止画像データを生成することを特徴とする請求項１に記載の画像記録再生装置。
【請求項３】
前記プルダウン検出手段は前記重複フィールドの位置を検出するものであって、検出された前記重複フィールドの位置に基づいて、前記制御手段は、前記静止画像データを記録してからコマ送り再生するか、前記静止画像データを記録せずにコマ送り再生するかを決定することを特徴とする請求項２に記載の画像記録再生装置。
【請求項４】
インタレース映像をプログレッシブ映像に変換する変換手段をさらに備え、
前記再生手段によって再生される映像データについて前記プルダウン検出手段によるプルダウン検出ができない場合には、前記制御手段は、前記再生される映像データを前記変換手段によって変換し、変換された後のフレーム画像から前記静止画像データを生成するよう制御することを特徴とする請求項２に記載の画像記録再生装置。
【請求項５】
前記再生手段によって再生される映像データのシーンの切り替わりを検知するシーン切り替わり検知手段をさらに備え、
前記制御手段は、前記シーン切り替わり検知手段の検知結果に基づいて、前記記録手段による前記静止画像データの記録を終了することを特徴とする請求項１乃至４のいずれか１項に記載の画像記録再生装置。
【手続補正２】
【補正対象書類名】明細書
【補正対象項目名】０００９
【補正方法】変更
【補正の内容】
【０００９】
上記目的を達成するために、本発明の画像記録再生装置は、記録媒体に記録された動画像の映像データを再生する再生手段と、静止画像の記録を指示する操作手段と、前記操作手段からの指示に応じて、前記再生手段によって再生された映像データから静止画像データを生成して記録する記録手段と、前記操作手段からの指示が開始されてから解除されるまでの間、前記再生手段に対して前記動画像の１フレームずつのコマ送り再生を実行させ、前記記録手段に対して前記コマ送り再生によって得られる複数枚のフレーム画像に係る静止画像データを連続的に記録させるよう制御する制御手段とを備えたことを特徴とする。
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
撮像手段からの映像を変換してストリームデータを生成し、当該ストリームデータをバッファ手段に保存するエンコード手段と、
記録開始の指示に応じて一定時間の記録を行う一定時間記録モードにおいて、第１の記録開始の指示から前記一定時間の経過前に第２の記録開始の指示がされた場合に、
前記第１の記録開始の指示に対応した前記一定時間の前記ストリームデータと、前記第２の記録開始の指示に対応した前記一定時間の前記ストリームデータとを前記バッファ手段に保存するように、前記エンコード手段を制御する制御手段と、
前記バッファ手段に保存されたストリームデータのそれぞれを記録メディアに記録する記録手段と、
を有することを特徴とする撮像装置。
【請求項２】
前記エンコード手段は、前記映像をストリームデータに変換する変換処理を行う複数のエンコーダを含み、
前記制御手段は、前記第１の記録開始の指示に対応した前記一定時間の前記ストリームデータと、前記第２の記録開始の指示に対応した前記一定時間の前記ストリームデータとを生成するように、前記複数のエンコーダの動作タイミングを制御し、
前記エンコード手段は、前記複数のエンコーダで生成されたストリームデータを前記バッファ手段に保存することを特徴とする請求項１に記載の撮像装置。
【請求項３】
前記バッファ手段は、複数のバッファを含み、
前記制御手段は、前記第１の記録開始の指示に対応した前記一定時間の前記ストリームデータと、前記第２の記録開始の指示に対応した前記一定時間の前記ストリームデータとが前記複数のバッファの異なるバッファに保存されるように、前記エンコード手段による前記複数のバッファへの保存タイミングを制御することを特徴とする請求項１に記載の撮像装置。
【請求項４】
撮像手段からの映像を変換してストリームデータを生成するエンコード手段と、
前記エンコード手段で生成されたストリームデータを記録メディアに記録する記録手段と、
記録開始の指示に応じて一定時間の記録を行う一定時間記録モードにおいて、第１の記録開始の指示から前記一定時間の経過前に第２の記録開始の指示がされた場合に、
前記第１の記録開始が指示された時刻、及び、前記第２の記録開始が指示された時刻を記憶する記憶手段と、
前記第１の記録開始の指示、及び、前記第２の記録開始の指示に応じた記録が終了した後で、前記記録メディアに記録されたストリームデータから、前記記憶手段に記憶した前記第１の記録開始が指示された時刻から前記一定時間のストリームデータ、及び、前記記憶手段に記憶した前記第２の記録開始が指示された時刻から前記一定時間のストリームデータをそれぞれ切り出し、前記記録手段によって前記第１の記録開始の指示に対応した前記一定時間の前記ストリームデータ、及び、前記第２の記録開始の指示に対応した前記一定時間の前記ストリームデータとして前記記録メディアに記録させる制御手段と、
を有することを特徴とする撮像装置。
【請求項５】
前記記録メディアに記録された複数のストリームデータをユーザが選択可能に一覧表示する表示手段を更に有し、
前記記録手段は、前記表示手段に一覧表示した複数のストリームデータのうち、ユーザによって選択されたストリームデータを前記記録メディアから削除することを特徴とする請求項１乃至４のうちいずれか１項に記載の撮像装置。
【請求項６】
撮像手段からの映像を変換してストリームデータを生成し、当該ストリームデータをバッファ手段に保存するエンコード手段を備える撮像装置の制御方法であって、
記録開始の指示に応じて一定時間の記録を行う一定時間記録モードにおいて、第１の記録開始の指示から前記一定時間の経過前に第２の記録開始の指示がされた場合に、
制御手段が、前記第１の記録開始の指示に対応した前記一定時間の前記ストリームデータと、前記第２の記録開始の指示に対応した前記一定時間の前記ストリームデータとを前記バッファ手段に保存するように、前記エンコード手段を制御する制御ステップと、
記録手段が、前記バッファ手段に保存されたストリームデータのそれぞれを記録メディアに記録する記録ステップと、
を有することを特徴とする制御方法。
【請求項７】
撮像手段からの映像を変換してストリームデータを生成するエンコード手段と、前記エンコード手段で生成されたストリームデータを記録メディアに記録する記録手段とを備える撮像装置の制御方法であって、
記録開始の指示に応じて一定時間の記録を行う一定時間記録モードにおいて、第１の記録開始の指示から前記一定時間の経過前に第２の記録開始の指示がされた場合に、
記憶手段が、前記第１の記録開始が指示された時刻、及び、前記第２の記録開始が指示された時刻を記憶する記憶ステップと、
制御手段が、前記第１の記録開始の指示、及び、前記第２の記録開始の指示に応じた記録が終了した後で、前記記録メディアに記録されたストリームデータから、前記記憶ステップで記憶した前記第１の記録開始が指示された時刻から前記一定時間のストリームデータ、及び、前記記憶ステップで記憶した前記第２の記録開始が指示された時刻から前記一定時間のストリームデータをそれぞれ切り出し、前記記録手段によって前記第１の記録開始の指示に対応した前記一定時間の前記ストリームデータ、及び、前記第２の記録開始の指示に対応した前記一定時間の前記ストリームデータとして前記記録メディアに記録させる制御ステップと、
を有することを特徴とする制御方法。
【手続補正２】
【補正対象書類名】明細書
【補正対象項目名】０００８
【補正方法】変更
【補正の内容】
【０００８】
上記目的を達成するために、本発明の一側面としての撮像装置は、撮像手段からの映像を変換してストリームデータを生成し、当該ストリームデータをバッファ手段に保存するエンコード手段と、記録開始の指示に応じて一定時間の記録を行う一定時間記録モードにおいて、第１の記録開始の指示から前記一定時間の経過前に第２の記録開始の指示がされた場合に、前記第１の記録開始の指示に対応した前記一定時間の前記ストリームデータと、前記第２の記録開始の指示に対応した前記一定時間の前記ストリームデータとを前記バッファ手段に保存するように、前記エンコード手段を制御する制御手段と、前記バッファ手段に保存されたストリームデータのそれぞれを記録メディアに記録する記録手段と、を有することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
特定臓器についての時相が異なる一連の時系列医用画像を取得する画像取得手段と、
前記一連の時系列医用画像内の画素位置を、前記一連の時系列医用画像間において位置合わせする位置合わせ手段と、
前記一連の時系列医用画像において、前記特定臓器の対応する画素位置の信号値を同一の表示画素値に変換する変換手段とを備えたことを特徴とする医用画像変換装置。
【請求項２】
前記位置合わせの前に、前記一連の時系列画像を平滑化する平滑化手段をさらに備えたことを特徴とする請求項１記載の医用画像変換装置。
【請求項３】
前記変換された一連の時系列画像を、時系列順に表示する表示手段をさらに備えたことを特徴とする請求項１または２記載の医用画像変換装置。
【請求項４】
前記時系列医用画像は、３次元医用画像であることを特徴とする請求項１から３のいずれか１項記載の医用画像変換装置。
【請求項５】
前記特定臓器は、心臓および／または肺であることを特徴とする請求項１から４のいずれか１項記載の医用画像変換装置。
【請求項６】
前記変換手段は、前記一連の時系列医用画像のそれぞれの時相から、基準となる１つの基準時相を選択し、前記一連の時系列医用画像において、前記特定臓器の対応する画素位置の信号値を、前記基準時相の時系列医用画像における表示画素値に変換する手段であることを特徴とする請求項１から５のいずれか１項記載の医用画像変換装置。
【請求項７】
特定臓器についての時相が異なる一連の時系列医用画像を取得し、
前記一連の時系列医用画像内の画素位置を、前記一連の時系列医用画像間において位置合わせし、
前記一連の時系列医用画像において、前記特定臓器の対応する画素位置の信号値を同一の表示画素値に変換することを特徴とする医用画像変換方法。
【請求項８】
特定臓器についての時相が異なる一連の時系列医用画像を取得する手順と、
前記一連の時系列医用画像内の画素位置を、前記一連の時系列医用画像間において位置合わせする手順と、
前記一連の時系列医用画像において、前記特定臓器の対応する画素位置の信号値を同一の表示画素値に変換する手順とを有することを特徴とする医用画像変換方法をコンピュータに実行させるためのプログラム。
【手続補正書】
【提出日】平成24年10月17日(2012.10.17)
【手続補正１】
【補正対象書類名】特許請求の範囲
【補正対象項目名】全文
【補正方法】変更
【補正の内容】
【特許請求の範囲】
【請求項１】
所定の撮像間隔で被写体を連続的に撮像する撮像手段と、
音声を入力する音声入力手段と、
前記撮像手段により所定の撮像間隔で連続的に撮像された各々の被写体の画像から、当該所定の撮像間隔より広い間隔に対応する画像を夫々取得する第１の取得手段と、
前記撮像手段により所定の撮像間隔で連続的に撮像された各々の被写体の画像を取得する第２の取得手段と、
前記第１の取得手段により取得された画像と、前記第２の取得手段により取得された画像とが前記音声入力手段により入力された音声とともに再生可能な動画像を生成する生成手段と
を備えたことを特徴とする撮像装置。
【請求項２】
前記撮像手段による撮像期間から、所定の期間を指定する指定手段をさらに備え、
前記第２の取得手段は、前記指定手段により指定された所定の期間中に画像を取得する
ことを特徴とする請求項１に記載の撮像装置。
【請求項３】
前記第１の取得手段及び前記第２の取得手段による被写体の画像の取得に際し、一方から他方へ被写体の画像の取得を切り替える切替手段をさらに備えたことを特徴とする請求項１又は２に記載の撮像装置。
【請求項４】
音声を入力する音声入力ステップと、
撮像手段により所定の撮像間隔で連続的に撮像された各々の被写体の画像から、当該所定の撮像間隔より広い間隔に対応する画像を夫々取得する第１の取得ステップと、
前記撮像手段により所定の撮像間隔で連続的に撮像された各々の被写体の画像を、第１の間隔より狭い第２の間隔で取得する第２の取得ステップと、
前記第１の取得ステップにより取得された画像と、前記第２の取得ステップにより取得された画像とが前記音声入力ステップにより入力された音声で再生可能な動画像を生成する生成ステップと
を含むことを特徴とする動画像生成方法。
【請求項５】
コンピュータを、
所定の撮像間隔で被写体を連続的に撮像する撮像手段、
音声を入力する音声入力手段、
前記撮像手段により所定の撮像間隔で連続的に撮像された各々の被写体の画像から、当該所定の撮像間隔より広い間隔に対応する画像を夫々取得する第１の取得手段、
前記撮像手段により所定の撮像間隔で連続的に撮像された各々の被写体の画像を取得する第２の取得手段、
前記第１の取得手段により取得された画像と、前記第２の取得手段により取得された画像とが前記音声入力手段により入力された音声で再生可能な動画像を生成する生成手段
として機能させることを特徴とするプログラム。
【手続補正２】
【補正対象書類名】明細書
【補正対象項目名】発明の名称
【補正方法】変更
【補正の内容】
【発明の名称】撮像装置、動画像生成方法、及びプログラム
【手続補正３】
【補正対象書類名】明細書
【補正対象項目名】００１４
【補正方法】変更
【補正の内容】
【００１４】
本発明の一態様によると、
所定の撮像間隔で被写体を連続的に撮像する撮像手段と、
音声を入力する音声入力手段と、
前記撮像手段により所定の撮像間隔で連続的に撮像された各々の被写体の画像から、当該所定の撮像間隔より広い間隔に対応する画像を夫々取得する第１の取得手段と、
前記撮像手段により所定の撮像間隔で連続的に撮像された各々の被写体の画像を取得する第２の取得手段と、
前記第１の取得手段により取得された画像と、前記第２の取得手段により取得された画像とが前記音声入力手段により入力された音声とともに再生可能な動画像を生成する生成手段と
を備えたことを特徴とする。
【手続補正４】
【補正対象書類名】明細書
【補正対象項目名】００１５
【補正方法】変更
【補正の内容】
【００１５】
本発明の一態様によると、
音声を入力する音声入力ステップと、
撮像手段により所定の撮像間隔で連続的に撮像された各々の被写体の画像から、当該所定の撮像間隔より広い間隔に対応する画像を夫々取得する第１の取得ステップと、
前記撮像手段により所定の撮像間隔で連続的に撮像された各々の被写体の画像を、第１の間隔より狭い第２の間隔で取得する第２の取得ステップと、
前記第１の取得ステップにより取得された画像と、前記第２の取得ステップにより取得された画像とが前記音声入力ステップにより入力された音声で再生可能な動画像を生成する生成ステップと
を含むことを特徴とする。
【手続補正５】
【補正対象書類名】明細書
【補正対象項目名】００１６
【補正方法】変更
【補正の内容】
【００１６】
本発明の一態様によると、
コンピュータを、
所定の撮像間隔で被写体を連続的に撮像する撮像手段、
音声を入力する音声入力手段、
撮像手段により所定の撮像間隔で連続的に撮像された各々の被写体の画像から、当該所定の撮像間隔より広い間隔に対応する画像を夫々取得する第１の取得手段、
前記撮像手段により所定の撮像間隔で連続的に撮像された各々の被写体の画像を取得する第２の取得手段、
前記第１の取得手段により取得された画像と、前記第２の取得手段により取得された画像とが前記音声入力手段により入力された音声で再生可能な動画像を生成する生成手段
として機能させることを特徴とする。
【手続補正６】
【補正対象書類名】明細書
【補正対象項目名】００１３
【補正方法】変更
【補正の内容】
【００１３】
本発明は、このような状況に鑑みてなされたものであり、連続して通常動画のための画像の取得及びスロー動画のための画像の取得が行われる場合でも、音声のデータの再生の連続性も維持することを目的とする。
【手続補正７】
【補正対象書類名】明細書
【補正対象項目名】００１７
【補正方法】変更
【補正の内容】
【００１７】
本発明によれば、連続して通常動画のための画像の取得及びスロー動画のための画像の取得が行われる場合でも、音声のデータの再生の連続性も維持することができる。
【手続補正書】
【提出日】平成23年12月9日(2011.12.9)
【手続補正１】
【補正対象書類名】明細書
【補正対象項目名】発明の名称
【補正方法】変更
【補正の内容】
【発明の名称】ハンドオーバ方法および通信システム
【手続補正２】
【補正対象書類名】明細書
【補正対象項目名】０００１
【補正方法】変更
【補正の内容】
【０００１】
本発明は、起点無線アクセスネットワークに接続している移動端末が、目標無線アクセスネットワークへの異種網間の高速ハンドオーバを行うためのハンドオーバ方法および通信システムに関する。
【手続補正３】
【補正対象書類名】明細書
【補正対象項目名】００１９
【補正方法】変更
【補正の内容】
【００１９】
本発明に係る通信システムは、起点無線アクセスネットワークに接続している移動端末が、目標無線アクセスネットワークへの異種網間のハンドオーバを行うための通信システムであって、サービスノードにコンテキストを生成することを要求する要求メッセージを送信するパケットデータゲートウエイと、前記サービスノードが前記要求メッセージを受信した際に、前記コンテキストを生成し、前記移動端末に無線アクセスベアラ（ＲＡＢ）を確立することを要求するベアラセットアップ要求メッセージを送信する前記サービスノードと、前記目標無線アクセスネットワークにおいて、制御ノードと前記移動端末との間で無線ベアラを確立し、前記目標無線アクセスネットワークを介して、前記サービスノードに生成された前記コンテキストのアップデートを開始するサービス要求メッセージを送信する前記移動端末と、を有する。
【手続補正４】
【補正対象書類名】特許請求の範囲
【補正対象項目名】全文
【補正方法】変更
【補正の内容】
【特許請求の範囲】
【請求項１】
起点無線アクセスネットワークに接続している移動端末が、目標無線アクセスネットワークへの異種網間のハンドオーバを行うためのハンドオーバ方法であって、
パケットデータゲートウエイが、サービスノードにコンテキストを生成することを要求する要求メッセージを送信するステップと、
前記サービスノードが前記要求メッセージを受信した際に、前記サービスノードは前記コンテキストを生成し、前記移動端末に無線アクセスベアラ（ＲＡＢ）を確立することを要求するベアラセットアップ要求メッセージを送信するステップと、
前記移動端末が、前記目標無線アクセスネットワークにおいて、制御ノードと前記移動端末との間で無線ベアラを確立するステップと、
前記移動端末が、前記目標無線アクセスネットワークを介して、前記サービスノードに生成された前記コンテキストのアップデートを開始するサービス要求メッセージを送信するステップと、
を有するハンドオーバ方法。
【請求項２】
前記サービスノードは、前記無線ベアラの確立に先立って前記コンテキストの生成を開始する請求項１に記載のハンドオーバ方法。
【請求項３】
前記コンテキストは、前記移動端末のために生成される請求項１に記載のハンドオーバ方法。
【請求項４】
前記サービスノードは、ＧＰＲＳサポートノードである請求項１から請求項３のいずれかに記載のハンドオーバ方法。
【請求項５】
前記起点無線アクセスネットワークはＷＬＡＮであり、前記目標無線アクセスネットワークはＵＭＴＳ無線ネットワークである請求項１から請求項４のいずれかに記載のハンドオーバ方法。
【請求項６】
起点無線アクセスネットワークに接続している移動端末が、目標無線アクセスネットワークへの異種網間のハンドオーバを行うための通信システムであって、
サービスノードにコンテキストを生成することを要求する要求メッセージを送信するパケットデータゲートウエイと、
前記サービスノードが前記要求メッセージを受信した際に、前記コンテキストを生成し、前記移動端末に無線アクセスベアラ（ＲＡＢ）を確立することを要求するベアラセットアップ要求メッセージを送信する前記サービスノードと、
前記目標無線アクセスネットワークにおいて、制御ノードと前記移動端末との間で無線ベアラを確立し、前記目標無線アクセスネットワークを介して、前記サービスノードに生成された前記コンテキストのアップデートを開始するサービス要求メッセージを送信する前記移動端末と、
を有する通信システム。
【請求項７】
前記サービスノードは、前記無線ベアラの確立に先立って前記コンテキストの生成を開始する請求項６に記載の通信システム。
【請求項８】
前記コンテキストは、前記移動端末のために生成される請求項６に記載の通信システム。
【請求項９】
前記サービスノードは、ＧＰＲＳサポートノードである請求項６から請求項８のいずれかに通信システム。
【請求項１０】
前記起点無線アクセスネットワークはＷＬＡＮであり、前記目標無線アクセスネットワークはＵＭＴＳ無線ネットワークである請求項６から請求項９のいずれかに記載の通信システム。
【手続補正書】
【提出日】平成24年5月23日(2012.5.23)
【手続補正１】
【補正対象書類名】特許請求の範囲
【補正対象項目名】全文
【補正方法】変更
【補正の内容】
【特許請求の範囲】
【請求項１】
以下の段階を含む、クライアント・コンピュータとターゲット・コンピュータとの間の仮想専用網（VPN）を透過的に作成する方法：
（1）ターゲット・コンピュータに関連するドメイン名に対応するIPアドレスを要求するドメイン名サービス（DNS）要求を、クライアント・コンピュータから生成する段階；
（2）段階（1）で送信されたDNS要求が安全なウェブサイトへのアクセスを要求しているかどうかを判定する段階；および
（3）段階（2）のDNS要求が安全なターゲット・ウェブサイトへのアクセスを要求しているとの判定に応答して、クライアント・コンピュータとターゲット・コンピュータとの間のVPNを自動的に開始する段階。
【請求項２】
段階（2）および（3）が、クライアント・コンピュータとは別のDNSサーバで実行される、請求項1記載の方法。
【請求項３】
以下の段階をさらに含む、請求項1記載の方法：
（4）段階（2）のDNS要求が安全なターゲット・ウェブサイトへのアクセスを要求していないとの判定に応答して、ドメイン名に対するIPアドレスを解決し、かつ該IPアドレスをクライアント・コンピュータに返す段階。
【請求項４】
段階（3）が、クライアント・コンピュータとターゲット・コンピュータとの間のVPNを自動的に開始する前に、クライアント・コンピュータがターゲット・コンピュータとのVPNを確立することを許可されているかどうかを判定し、かつ許可されていない場合にはDNS要求に起因するエラーを返す段階を含む、請求項1記載の方法。
【請求項５】
段階（3）が、クライアント・コンピュータとターゲット・コンピュータとの間のVPNを自動的に開始する前に、クライアント・コンピュータが安全でないターゲット・コンピュータのアドレスを解決することを許可されているかどうかを判定し、かつ許可されていない場合にはDNS要求に起因するエラーを返す段階を含む、請求項1記載の方法。
【請求項６】
段階（3）が、クライアント・コンピュータとターゲット・コンピュータとの間のIPアドレス・ホッピング方式を作成することによって、VPNを確立する段階を含む、請求項1記載の方法。
【請求項７】
段階（3）が、クライアント・コンピュータとターゲット・コンピュータとの間の通信のためのVPN資源を割り付けるゲートキーパ・コンピュータを使用する段階を含む、請求項1記載の方法。
【請求項８】
安全なターゲット・ウェブサイトへのアクセスは要求されていないと段階(2)で判定された場合には、DNSサーバへの前記要求を通過させるDNSプロキシ・サーバにおいて段階(3)が実行される、請求項1記載の方法。
【請求項９】
段階（3）が、クライアント・コンピュータにメッセージを送信して、クライアント・コンピュータがターゲット・コンピュータとのVPNを確立することを許可されているかどうかを判定する段階を含む、請求項5記載の方法。
【請求項１０】
以下を含む、クライアント・コンピュータと安全なターゲット・コンピュータとの間の仮想専用網（VPN）を透過的に作成するシステム：
ドメイン名に対するIPアドレスを調べることを求める要求をクライアント・コンピュータから受信するDNSプロキシ・サーバであって、安全でないウェブサイトへのアクセスが要求されていると判定された場合には、要求されたドメイン名に対するIPアドレスを返し、かつ、安全なウェブサイトへのアクセスが要求されていると判定された場合には、クライアント・コンピュータと安全なターゲット・コンピュータとの間のVPNを作成することを求める要求を生成する、DNSプロキシ・サーバ；および
DNSプロキシ・サーバによる該要求に応答して、クライアント・コンピュータと安全なターゲット・コンピュータとの間のVPNのための資源を割り付ける、ゲートキーパ・コンピュータ。
【請求項１１】
ゲートキーパ・コンピュータが、クライアント・コンピュータと安全なターゲット・コンピュータとの間で送信されるパケット内のIPアドレスを擬似乱数的に変更するために用いられるIPアドレス・ホッピング式を確立することによって、VPNを作成する、請求項10記載のシステム。
【請求項１２】
ゲートキーパ・コンピュータが、VPNを作成するのに十分なセキュリティ特権をクライアント・コンピュータが有しているかどうかを判定し、かつ、クライアント・コンピュータが十分なセキュリティ特権を有さない場合には、VPNを作成することを求める要求を拒絶する、請求項10記載のシステム。
【請求項１３】
以下の段階を含む、複数のクライアント・コンピュータのうちの1つと、各々が該クライアント・コンピュータのうちの1つに対応する複数の認証テーブルを維持している中央コンピュータとの間に、通信を確立する方法：
（1）中央コンピュータにおいて、接続を確立することを求める要求を複数のクライアント・コンピュータのうちの1つから受信する段階；
（2）複数の認証テーブルのうちの1つを参照して、段階（1）で受信された要求が、許可されたクライアントからであると認証する段階；
（3）該要求が許可されたクライアントからであるとの判定に応答して、該クライアントと第2のコンピュータとの間の仮想専用リンクを確立するための資源を割り付ける段階；および
（4）仮想専用リンクを使用して、該許可されたクライアントと第2のコンピュータとの間で通信する段階。
【請求項１４】
段階（4）が、一連のデータ・パケット内の少なくとも1つのフィールドを既知のシーケンスに従って周期的に変更させる方式に従って通信する段階を含む、請求項13記載の方法。
【請求項１５】
段階（4）が、各データ・パケットのヘッダ内のインターネット・プロトコル（IP）アドレスを、第2のコンピュータのテーブル内に維持されている有効なIPアドレスのテーブルと比較する段階を含む、請求項14記載の方法。
【請求項１６】
段階（4）が、各データ・パケットのヘッダ内のIPアドレスを有効なIPアドレスの移動ウィンドウと比較し、かつ、移動ウィンドウ内に収まらないIPアドレスを有するデータ・パケットを拒絶する段階を含む、請求項15記載の方法。
【請求項１７】
段階（2）が、中央コンピュータおよびクライアント・コンピュータによって認識された周期的に変更されるパラメータの同期を維持しているチェックポイント・データ構造を使用して、クライアントを認証する段階を含む、請求項13記載の方法。
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
特定部位についての一連の複数の医用画像を取得する画像取得手段と、
前記一連の医用画像のうちの変換対象となる対象医用画像について、該対象医用画像の各画素位置の信号値を、基準となる基準医用画像の対応する各画素位置の信号値との変化量に応じた表示画素値に変換する変換手段とを備えたことを特徴とする医用画像変換装置。
【請求項２】
基準となる第１の信号値、前記第１の信号値を変化させた第２の信号値、並びに前記第１および前記第２の信号値に対する表示画素値の関係を規定したカラーテンプレートを記憶する記憶手段をさらに備え、
前記変換手段は、前記基準医用画像を基準として、前記カラーテンプレートを参照して、前記対象医用画像の各画素位置の信号値を前記表示画素値に変換する手段であることを特徴とする請求項１記載の医用画像変換装置。
【請求項３】
基準となる第１の信号値および該第１の信号値に対する表示画素値の関係を規定したカラーテンプレートを記憶する記憶手段をさらに備え、
前記変換手段は、前記基準医用画像の各画素位置の信号値を前記カラーテンプレートを参照して前記表示画素値に変換し、前記対象医用画像の各画素位置の信号値と、前記基準医用画像の対応する画素位置の信号値との変化量を表す指標値に応じて、前記基準医用画像の各画素位置に対応する表示画素値を補正し、前記対象医用画像の各画素位置の信号値を前記補正した表示画素値となるように変換する手段であることを特徴とする請求項１記載の医用画像変換装置。
【請求項４】
基準となる第１の信号値および該第１の信号値に対する表示画素値の関係を規定したカラーテンプレートを記憶する記憶手段をさらに備え、
前記変換手段は、前記基準医用画像の各画素位置の信号値を前記カラーテンプレートを参照して前記表示画素値に変換し、前記対象医用画像の各画素位置の信号値と、前記基準医用画像の対応する画素位置の信号値との変化量を表す指標値に応じて、前記基準医用画像の各画素位置に対応する表示画素値を補正し、前記基準医用画像の各画素位置の信号値を前記補正した表示画素値となるように変換する手段であることを特徴とする請求項１記載の医用画像変換装置。
【請求項５】
前記医用画像が時系列順に取得されたものである場合、前記変換された一連の医用画像を、時系列順に表示する表示手段をさらに備えたことを特徴とする請求項１から３のいずれか１項記載の医用画像変換装置。
【請求項６】
前記医用画像が時系列順に取得されたものである場合、前記変換された基準医用画像を、補正した表示画素値を得た対象医用画像の時相に合わせて、時系列順に表示する表示手段をさらに備えたことを特徴とする請求項４項記載の医用画像変換装置。
【請求項７】
前記医用画像が時系列順に取得されたものである場合、前記変換手段は、前記複数の医用画像のそれぞれの時相から、基準となる１つの基準時相の医用画像を、前記基準器用画像として選択する手段であることを特徴とする請求項１から６のいずれか１項記載の医用画像変換装置。
【請求項８】
前記一連の医用画像は、エネルギーが異なる複数種類の放射線を用いた撮影を行うことにより取得されてなることを特徴とする請求項１から４のいずれか１項記載の医用画像変換装置。
【請求項９】
前記一連の医用画像の画素位置を、前記一連の医用画像間において位置合わせする位置合わせ手段をさらに備えたことを特徴とする請求項１から８のいずれか１項記載の医用画像変換装置。
【請求項１０】
前記位置合わせの前に、前記一連の医用画像を平滑化する平滑化手段をさらに備えたことを特徴とする請求項９記載の医用画像変換装置。
【請求項１１】
前記医用画像は、３次元医用画像であることを特徴とする請求項１から１０のいずれか１項記載の医用画像変換装置。
【請求項１２】
前記医用画像は、造影剤を用いて撮影されてなることを特徴とする請求項１から１１のいずれか１項記載の医用画像変換装置。
【請求項１３】
特定部位についての一連の複数の医用画像を取得し、
前記一連の医用画像のうちの変換対象となる対象医用画像について、該対象医用画像の各画素位置の信号値を、基準となる基準医用画像の対応する各画素位置の信号値との変化量に応じた表示画素値に変換することを特徴とする医用画像変換方法。
【請求項１４】
特定部位についての一連の複数の医用画像を取得する手順と、
前記一連の医用画像のうちの変換対象となる対象医用画像について、該対象医用画像の各画素位置の信号値を、基準となる基準医用画像の対応する各画素位置の信号値との変化量に応じた表示画素値に変換する手順とを有することを特徴とする医用画像変換方法をコンピュータに実行させるためのプログラム。
【手続補正書】
【提出日】平成23年12月2日(2011.12.2)
【手続補正１】
【補正対象書類名】明細書
【補正対象項目名】００１０
【補正方法】変更
【補正の内容】
【００１０】
上記の課題を解決するため、電力変換装置の電圧駆動型半導体素子、または、該電圧駆動型半導体素子を駆動するゲート駆動回路であって、ゲート電源と、ＮＰＮトランジスタと第１のＰＮＰトランジスタの直列回路で構成されたプッシュプル回路と、前記ゲート電源の正負極間に接続された、前記ゲート電源の正極側と前記プッシュプル回路と前記ダイオードの接続点の間に接続された負電圧発生回路と、該負電圧発生回路の出力端子と前記ゲート電源の負極端子間に接続された、第２のＰＮＰトランジスタと、を備え、前記ＮＰＮトランジスタと第１のＰＮＰトランジスタの接続点からゲート抵抗を介し、前記電圧駆動型半導体素子のゲート端子に接続し、前記ゲート電源の負極端子と前記電圧駆動型半導体素子のエミッタ端子が接続されたゲート駆動回路とした。
【手続補正２】
【補正対象書類名】明細書
【補正対象項目名】００１１
【補正方法】削除
【補正の内容】
【手続補正３】
【補正対象書類名】明細書
【補正対象項目名】００７９
【補正方法】変更
【補正の内容】
【００７９】
図２１は実施例のインバータ２３および負荷２４の回路構成図であり、本実施例のインバータ２３はモータインバータの３相フルブリッジインバータ回路である。ｃ−ｇ間にはＩＧＢＴ７１と７３の直列回路とＩＧＢＴ７１と７３と並列にダイオード７２と７４が接続され、ダイオード７２のアノード端子はｕ点、カソード端子はｃ点、ダイオード７４のアノード端子にはｇ点、カソード端子はｕ点に接続され、Ｕ相４００が構成され、ＩＧＢＴ７５と７７の直列回路とＩＧＢＴ７５と７７と並列にダイオード７６と７８が接続され、ダイオード７６のアノード端子はｖ点、カソード端子はｃ点、ダイオード７８のアノード端子にはｇ点、カソード端子はｖ点に接続され、Ｖ相５００が構成され、ＩＧＢＴ７９と８１の直列回路とＩＧＢＴ７９と８１と並列にダイオード８０と８２が接続され、ダイオード８０のアノード端子はｗ点、カソード端子はｃ点、ダイオード８２のアノード端子にはｇ点、カソード端子はｗ点に接続され、Ｗ相６００が構成される。各ＵＶＷ相には負荷として３相モータ８３が接続される。
【手続補正４】
【補正対象書類名】特許請求の範囲
【補正対象項目名】全文
【補正方法】変更
【補正の内容】
【特許請求の範囲】
【請求項１】
電力変換装置の電圧駆動型半導体素子、または、該電圧駆動型半導体素子を駆動するゲート駆動回路であって、
ゲート電源と、
ＮＰＮトランジスタと第１のＰＮＰトランジスタの直列回路で構成されたプッシュプル回路と、
前記ゲート電源の正負極間に接続された、前記プッシュプル回路とダイオードの直列回路と、
前記ゲート電源の正極側と前記プッシュプル回路と前記ダイオードの接続点の間に接続された負電圧発生回路と、
該負電圧発生回路の出力端子と前記ゲート電源の負極端子間に接続された、第２のＰＮＰトランジスタと、
を備え、
前記ＮＰＮトランジスタと第１のＰＮＰトランジスタの接続点からゲート抵抗を介し、前記電圧駆動型半導体素子のゲート端子に接続し、前記ゲート電源の負極端子と前記電圧駆動型半導体素子のエミッタ端子が接続されたことを特徴とするゲート駆動回路。
【請求項２】
請求項１記載のゲート駆動回路において、
前記負電圧発生回路は、２つの抵抗の直列回路とコンデンサで構成されることを特徴とするゲート駆動回路。
【請求項３】
請求項１記載のゲート駆動回路において、
前記負電圧発生回路は、ツェナーダイオードと抵抗の直列回路とコンデンサで構成されることを特徴とするゲート駆動回路。
【請求項４】
交流ＡＣ電源と、
該交流ＡＣ電源の出力を整流する整流回路と、
該整流回路の出力を直流電圧に変換するコンバータと、
該コンバータを駆動する第１のゲート駆動回路と、
前記コンバータの出力を交流電圧に変換して、負荷に出力するインバータと、
該インバータを駆動する第２のゲート駆動回路と、
を備える電力変換装置において、
前記第１のゲート駆動回路および前記第２のゲート駆動回路は、請求項１〜請求項３のいずれかに記載のゲート駆動回路であることを特徴とする電力変換装置。
【請求項５】
請求項４に記載の電力変換装置において、
前記コンバータは、前記整流回路と並列に、チョークコイルとスイッチング素子の直列回路が接続され、前記スイッチング素子と並列に、ダイオードとコンデンサの直列回路が接続されることを特徴とした電力変換装置。
【請求項６】
請求項４に記載の電力変換装置において、
前記コンバータは、前記整流回路と並列に、スイッチング素子とダイオードの直列回路が接続され、前記ダイオードと並列に、チョークコイルとコンデンサの直列回路が接続されることを特徴とした電力変換装置。
【手続補正５】
【補正対象書類名】図面
【補正対象項目名】図２０
【補正方法】変更
【補正の内容】
【図２０】
2011193705.tif 000001
【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
第１の伝導型を有する第１の炭化珪素層と、
前記第１の炭化珪素層の中にあって前記第１の伝導型を有するソース領域であって、前記ソース領域は、前記第１の炭化珪素層のキャリア濃度よりも高いキャリア濃度を有し、前記第１の炭化珪素層の第１の表面まで延在し、前記第１の伝導型のドーパントと、前記第１の伝導型とは反対の第２の伝導型のドーパントとを有する前記ソース領域と、
前記ソース領域の底部に隣接し、前記ソース領域の深さよりも深い前記第１の炭化珪素層の中の深さで、前記第１の炭化珪素層の中にある第２の伝導型の炭化珪素の埋込み領域と、
前記ソース領域の第１の側の前記第１の炭化珪素層の中にあって、前記第１の炭化珪素層の前記第１の表面に向かって延在している前記第２の伝導型の炭化珪素のウェル領域と、
前記ソース領域の前記第１の側に対向する前記ソース領域の第２の側にあって、前記第１の炭化珪素層の前記第１の表面まで延在している前記第２の伝導型の炭化珪素のプラグ領域と、
を備えることを特徴とする炭化珪素パワー半導体デバイス。
【請求項２】
前記第１の炭化珪素層、前記ウェル領域、および前記ソース領域の上にあるゲート酸化膜と、
前記ゲート酸化膜の上のゲート接点と、
前記プラグ領域および前記ソース領域の上のソース接点と、
前記第１の炭化珪素層の前記第１の表面に対向する前記第１の炭化珪素層の上のドレイン接点と、
をさらに備えることを特徴とする請求項１に記載の炭化珪素パワー半導体デバイス。
【請求項３】
前記第１の炭化珪素層の前記第１の面の上で、前記ゲート酸化膜と前記第１の炭化珪素層との間にあり前記第１の炭化珪素層の前記第１の面の上に第１の炭化珪素エピタキシャル層をさらに備えることを特徴とする請求項２に記載の炭化珪素パワー半導体デバイス。
【請求項４】
前記第１の炭化珪素層の中にあって前記ソース領域から延在する第１の伝導型炭化珪素の閾値調整領域をさらに備え、前記閾値調整領域は、前記ウェル領域と前記第１の炭化珪素層の前記第１の面との間に配置されることを特徴とする請求項３に記載の炭化珪素パワー半導体デバイス。
【請求項５】
前記閾値調整領域は、前記第１の炭化珪素層の中へ０．０１μｍから０．５μｍの深さまで延在し、１０１５から１０１９ｃｍ−３のキャリア濃度を有し、さらに前記第１の炭化珪素層は、６から２００μｍの厚みを有し、１×１０１４から５×１０１６ｃｍ−３のキャリア濃度を有することを特徴とする請求項４に記載の炭化珪素パワー半導体デバイス。
【請求項６】
前記第１の炭化珪素層は、６μｍから２００μｍの厚みと、１×１０１４から５×１０１６ｃｍ−３のキャリア濃度とを有することを特徴とする請求項５に記載の炭化珪素パワー半導体デバイス。
【請求項７】
前記第１の伝導型はｎ型であり、前記第２の伝導型はｐ型であることを特徴とする請求項２に記載の炭化珪素パワー半導体デバイス。
【請求項８】
前記第１の炭化珪素層の中の第１の伝導型炭化珪素の閾値調整領域をさらに備え、該閾値調整領域は前記ソース領域と前記ウェル領域の共通平面の上を延在し、前記ウェル領域と前記第１の炭化珪素層の前記第１の面との間に配置されていることを特徴とする請求項２に記載の炭化珪素パワー半導体デバイス。
【請求項９】
前記閾値調整領域は、前記炭化珪素の第１の層の中へ０．０１μｍから０．５μｍの深さまで延在し、１０１５から１０１９ｃｍ−３のキャリア濃度を有することを特徴とする請求項８に記載の炭化珪素パワー半導体デバイス。
【請求項１０】
前記炭化珪素の第１の層と前記ドレイン接点との間に配置された前記第１の伝導型の炭化珪素の第２の層をさらに備え、前記炭化珪素の第２の層は、前記炭化珪素の第１の層よりも高いキャリア濃度を有することを特徴とする請求項２に記載の炭化珪素パワー半導体デバイス。
【請求項１１】
前記炭化珪素のウェル領域は前記炭化珪素プラグ領域と接していないことを特徴とする請求項２に記載の炭化珪素パワー半導体デバイス。
【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
半導体発光デバイスをパッケージングする方法であって、
前記発光デバイスをサブマウントの上に配置すること、および、
前記発光デバイスから放出された光を受け取り波長変換するように、中実波長変換部材を、前記サブマウント上で、前記発光デバイスを覆い、かつ前記発光デバイスからずらして位置決めすることを含むことを特徴とする方法。
【請求項２】
前記中実波長変換部材は、波長変換材料を中に有するガラス、シリコン、および／または硬化エポキシの剛性波長変換部材を含み、剛性波長変換部材を前記サブマウント上で位置決めする前に、その波長変換特性を決定するために前記剛性波長変換部材を試験することを特徴とする請求項１に記載の方法。
【請求項３】
前記中実波長変換部材は、波長変換材料を中に有するガラス、シリコン、および／または硬化エポキシの剛性波長変換部材を含むことを特徴とする請求項１に記載の方法。
【請求項４】
前記波長変換部材は、前記発光デバイスと反対側のその表面上で平坦および／または凸形であることを特徴とする請求項３に記載の方法。
【請求項５】
前記波長変換材料は、燐光体を含むことを特徴とする請求項３に記載の方法。
【請求項６】
前記発光デバイスは、発光ダイオード（ＬＥＤ）を含むことを特徴とする請求項３に記載の方法。
【請求項７】
前記サブマウントは、半導体基板を含むことを特徴とする請求項３に記載の方法。
【請求項８】
複数の発光デバイスを供給することであって、それぞれの発光デバイスは予め定められた関連する発光デバイスの出力を有し、
複数の波長変換部材を供給することであって、それぞれの波長変換部材は予め定められた波長変換特性を有し、
前記発光デバイスの１つを、前記波長変換部材の１つに、それらの予め定められた関連する発光デバイスの出力と予め定められた波長変換特性を基準にして整合させることとを含む方法。
【請求項９】
整合は、前記発光デバイスのそれぞれの関連する発光デバイスの出力の差異を基準にして異る波長変換特性を持たせるため、整合した前記波長変換部材の選択を含むことを特徴とする請求項８に記載の方法。
【請求項１０】
前記発光デバイスの出力は周波数を含むことを特徴とする請求項９に記載の方法。
【請求項１１】
前記波長変換特性は光透過パターンを含み、前記関連する発光デバイスの出力は、前記発光デバイスの関連したチップ形状に関連した発光パターンを含むことを特徴とする請求項９に記載の方法。
【請求項１２】
前記複数の波長変換部材を供給する前に、関連した波長変換特性を決定するために前記複数の波長変換部材を試験することを特徴とする請求項８に記載の方法。
【請求項１３】
整合に続いて、前記発光デバイスのうち整合する１つを覆うように位置決めされた前記波長変換部材の１つを、発光デバイスパッケージに組み立てて、前記発光デバイスの所望の出力を供給することを特徴とする請求項８に記載の方法。
【請求項１４】
前記波長変換部材は、波長変換材料を中に有するガラス、シリコン、および／または硬化エポキシの剛性波長変換部材を含み、前記発光デバイスパッケージの組み立ては、前記波長変換部材を、対応する前記発光デバイスの１つからずらして位置決めすることを含むことを特徴とする請求項１３に記載の方法。
【請求項１５】
前記関連する発光デバイスの出力は周波数を含むことを特徴とする請求項８に記載の方法。
【請求項１６】
前記波長変換特性は色点を含むことを特徴とする請求項８に記載の方法。
【請求項１７】
前記中実波長変換部材を位置決めする前に、前記複数の中実波長変換部材の１つを前記中実波長変換部材として選択することを特徴とする請求項１に記載の方法。
【手続補正書】
【提出日】平成23年5月18日(2011.5.18)
【手続補正１】
【補正対象書類名】明細書
【補正対象項目名】０００３
【補正方法】変更
【補正の内容】
【０００３】
番組リスト項目および他の番組ガイドデータは典型的には、衛星アップリンク設備により、多数のケーブルシステムヘッドエンドへと提供される。各ヘッドエンドは、その番組ガイドデータを多数のユーザへと配信する。双方向テレビ番組ガイドは典型的には、ユーザのセットトップボックス上で実現される。電子テレビ番組ガイドについては、例えば、１９９６年１２月１９日に公開された、ＫｎｅｅらによるＰＣＴ特許出願公開番号第ＷＯ９６／４１４７８号に記載がある。セットトップボックスは典型的には、ユーザのテレビとビデオカセットレコーダとに接続される。ユーザが番組を録画することを可能にする番組ガイドシステムについては、例えば、１９９７年９月５日に出願された、Ｅｌｌｉｓらによる米国特許出願第０８／９２４，２３９号に記載がある。本明細書中、同出願の全体を参考のため援用する。
【手続補正２】
【補正対象書類名】明細書
【補正対象項目名】０００７
【補正方法】変更
【補正の内容】
【０００７】
ビデオオンデマンド（ＶＯＤ）システムもまた開発されている。このようなシステムは典型的には、ヘッドエンドが配信する番組を全て録画するか、または番組のうち選択された一部（ｓｕｂｓｅｔ）のみを録画する。前者のアプローチの場合、ユーザが所望する可能性のある映像を全て確実に利用可能とするためには、サーバに膨大な格納容量が必要となる。後者のアプローチの場合、ユーザが視聴できるのは、ヘッドエンドのオペレータが録画を決定した番組のみに限られる。音声信号および映像信号を格納し、転送するシステムについては、例えば、１９９５年２月９日に公開された、ＢｕｈｒｏらによるＰＣＴ特許出願公開番号第ＷＯ  ９５／０４４３１  Ａ２号に記載がある。ユーザが電子番組ガイドを用いて番組にオンデマンドでアクセスすることを可能にするシステムについては、例えば、１９９８年５月１２日に発行された、Ｇｉｒａｒｄらによる米国特許第５，７５１，２８２号に記載がある。
【手続補正３】
【補正対象書類名】明細書
【補正対象項目名】０００９
【補正方法】変更
【補正の内容】
【０００９】
「Ｙｏｕｒ  Ｃｈｏｉｃｅ  ＴＶ」という名称で知られているケーブルテレビシステムでは、以前放送されたテレビ番組が一連のテレビ専用チャンネル上で再放送される。視聴者は、番組の再放送を少額の負担で注文することができる。しかし、再放送は予め決められた時間に放送されるため、視聴者にとって都合が良くない可能性がある。また、どの番組を録画するのかを決定するのはケーブルシステムのオペレータであるため、所望する番組が視聴者にとって利用不可能である場合もあり得る。インターネットにアクセス可能なテレビシステムは、例えば、１９９８年４月２３日に公開されたＭａｃＲａｅらのＰＣＴ特許出願公開番号ＷＯ９８／１７０６４に記載される。